(57)【要約】【課題】首や肩こり、背中の張りをほぐす上半身の軽い運動用に、両手で掴みやすく、体の大小や腕の長さ、両腕の引っ張り合いの動作に応じて、長さの調整が簡単にできるもの、そして、かさばらず手近なところに置けて邪魔にならず携帯にも便利で、僅か数十秒の使用でもリフレッシュに効果的な、上半身ストレッチング用品を提供する。【解決手段】ベルト本体１の先端を折り曲げて重ね合わせ、糸又は接着剤等で固着したこぶ２を両端に形成し、既ベルト本体１を折り返し、アジャスト具４に通して両端に輪５を形成する。【選択図】　　　　　図１
2004089659.tif 000002
【特許請求の範囲】
【請求項１】
ベルト本体（１）（１１）の両端にアジャスト具（４）を介して輪（５）を形成し、既輪（５）の大きさを変えることでベルト本体（１）（１１）の全長を調整するストレッチングベルト。
【請求項２】
ベルト本体（１）（１１）の両先端に形成した抜け止めのこぶ（２）（１２）が、アジャスト具（４）に引っかかる請求項１記載のストレッチングベルト。
【請求項３】
ベルト本体（２１）（３１）の両端を、アジャスト具（４）を介して連結し、輪を形成したストレッチングベルト。
【請求項４】
ベルトＡ（６）とベルトＢ（７）をアジャスト具（４）で連結したストレッチングベルト
【請求項５】
ベルトＡ（６１）とベルトＢ（７１）を平ファスナー（１０）で連結したストレッチングベルト
【発明の詳細な説明】
【０００１】
【発明の属する技術分野】
本発明は、ベルトを介して、左右の手で互いに引っ張り合いながら、両腕を上げたり曲げたり肩を回したり、上体をひねったり反らしたり曲げたりする上半身ストレッチング用品に関する。
【０００２】
【従来の技術】
従来の上半身や両腕を動かす運動の一つに、左右の手でタオルの両端を掴み、引っ張り合い状態で両腕を上げたり曲げたり回したり、上体をひねったり反らしたり曲げたりするタオル体操がある。
【０００３】
【発明が解決しようとする課題】
なにかとせせこましくてゆとりが感じられない昨今、軽い運動や気分転換をしようと思ってもなかなか実行できず、現代人のストレスはたまるばかりである。
首や肩こり、背中の張りをほぐす上半身体操にタオルを利用した場合、人間の身体は男と女、そして大人と子供、それぞれにおいても個人差があり大きな人小さい人さまざまである。小タオルは握りやすいが短くて両手の動きがままならず、バスタオルでは生地が厚手となっているので、握りきれずに手からはずれたりすることもある。家庭で出来る手軽な運動ではあるがまさに一長一短である。
【０００４】
また、バスタオルはかさばり持ち歩きには不向きであり、使用する場所も限られるという問題点があった。
【０００５】
本発明は、首や肩こり、背中の張りをほぐす上半身の軽い運動用に、両手で掴みやすく、体の大小や腕の長さ、両腕の引っ張り合いの動作に応じて、長さの調整が簡単にできるもの、そして、かさばらず手近なところに置けて邪魔にならず携帯にも便利で、僅か数十秒の使用でもリフレッシュに効果的な、上半身ストレッチング用品を提供することを目的としている。
【０００６】
【課題を解決するための手段】
上記目的を達成するために、本発明の上半身ストレッチングベルトにおいては、平ベルトの両端にアジャスト具を用いて、左右の手の平が入り握り部ともなる輪を形成する。
【０００７】
鞄などで使用している平ベルトは、先端を折り返しアジャスト具の中央に、糸などで縢り付けて抜け止めをしているが、この方法では一つ目の輪は作ることができるが、二つ目の輪は平ベルトがアジャスト具を通らないので作ることが出来ない。従って上記上半身ストレッチングベルトにおいては、平ベルトの両端各々を裁断面のほつれ防止を兼ねて、折り返して重ね合わせ糸で縢り付けたり、接着剤等で固着してこぶを形成する。このこぶがアジャスト具に引っかかり抜け防止になると共に、平ベルトが固定される。
【０００８】
また、素材が化学繊維のベルトであれば裁断部を熱で溶かしてこぶを形成し固め、先端に抜け防止のこぶを作る方法もある。
【０００９】
先端にこぶが無くてもアジャスト具を介して輪は出来るが、強い引っ張り合いでは平ベルトが滑り抜けて、アジャスト具からはずれてしまう。
【００１０】
輪を作るには、両端を適当な位置で平ベルトを二つ折りにして、折り返し箇所からアジャスト具を通し、こぶが引っかかるまで引いて平ベルトを固定し輪を形成する。
【００１１】
人によって体の大きさや腕の長さがの違いや、両腕の動かし方や使い方によって、平ベルトの長さを変えられる。両端に形成された輪を大きくしたり小さくしたりで、全長が長くなったり短くなったりする。
【００１２】
【発明の実施の形態】
発明の実施の形態を実施例にもとづき図面を参照して説明する。
図１において、ベルト本体１の先端を折り曲げて重ね合わせ、糸又は接着剤等で固着したこぶ２を両端に形成し、既ベルト本体１を折り返し、図２に示すように、折り曲げ先端３からアジャスト具４に通し、既こぶ２が既アジャスト具４に止まるまで引き、両端に輪５を形成する。
【００１３】
図３に示される実施例では、素材が化学繊維であるベルト本体１１において、裁断面を熱で溶かし固めてこぶ１２を形成したものである。
【００１４】
図４に示される実施例では、ベルト本体２１を一つのアジャスト具４でつなぎ、輪を形成したものである。
【００１５】
図５に示された実施例では、ベルト本体３１を二つのアジャスト具４でつなぎ、輪を形成したものである。
【００１６】
図６に示された実施例では、ベルトＡ６とベルトＢ７各々の一端をＵ曲げして、重ね代９で糸又は接着剤等で固着し輪１５を形成して、アジャスト具４で連結したもので、全体の長さ調整で生じるベルトＡ６の余剰分の遊びをおさえるベルト保持８を設けたものである。
【００１７】
図７に示された実施例では、上記図６に示された実施例において、ベルト保持８に代えて、アジャスト具４を２個を用いてベルトＡ６ベルトＢ７の遊びをなくしたものである。
【００１８】
図８に示された実施例では、ベルトＡ６１とベルトＢ７１を平ファスナー１０で連結したもので、既平ファスナー１０の脱着で長さを調整するものである。
【００１９】
【発明の効果】
本発明は、以上説明したように構成されているので、以下に記載されるような効果を奏する。
【００２０】
両端の輪の中に手のひらや手の甲をかけるだけで力強い両腕の引っ張り合いができるので、握力が弱くなっている人でも、上半身のストレッチングが容易にできる。
【００２１】
両端各々の輪に指をかけて、互いに引っ張り合う指反らしで脳が刺激され活性化する。かける指は１対１でも、１対２でも４体４でも組み合わせはいろいろあるが、指反らしと上半身のストレッチングが同時にできる。
【００２２】
また、片手を輪の一つに掛けて腕を背中に回し、もう一方の腕で背中にある腕を引きあげる運動で、背中に回した腕の動きがよくなる運動をすることができる。
【００２３】
また、上記とは逆に片手を輪に掛けて腕を肩の上から背中に回し、もう一方の腕で下方向に引き、背中に回す腕の動きがよくなる運動をすることができる。
【００２４】
そして、デスクワークによる心身の疲労も、椅子に座ったままげストレッチングベルトを、わずかな時間使用して身体を動かすだけで、身も心もリフレッシュされ、仕事の効率があがる。
【００２５】
また、椅子に腰掛けるかまたは片足で立ち、片方の足に一つの輪をかけて、もう一つの輪を引き上げれば、足が前方または後方に引き上げてのストレッチングができる。
【００２６】
また、両端の輪を握り背中を滑らせてこすると、心地よいマッサージ効果が得られる。
【００２７】
また、ベルト本体を後頭部に掛けて、左右の手と頭部が互いに引き合い状態で、右手を外側前方に引けば顔の向きが正面から左へ、そして逆に左手を外側前方に引けば、顔は左からから右へと１８０度向きを変え顔の向きと共に首が回る。数回繰り返すことで首のこり肩のこりを軽減することができる。
【００２８】
さらに、上半身のストレッチングだけではなく、仰向けに寝て、輪の一つを足の裏に掛け、もう一つの輪を両手または片手で引けば、足を高く引き上げることができるので、両足のストレッチングもできる。
【００２９】
使用する人の身体の大きさや腕の長さ、そして、動作に適した輪の間隔を輪の大きさを変えることで、広げたり狭めたりすることができる。
【００３０】
そして、丸めると石鹸箱ほどの大きさで、かさばらず旅行や出張など外出時にも、ポケットや小さな鞄にも納められるから、携帯にも便利で出先での使用ができる。
【図面の簡単な説明】
【図１】ストレッチングベルトの実施例を示す斜視図である。
【図２】ストレッチングベルトの輪をつくる実施例を示す斜視図である。
【図３】ストレッチングベルトの実施例を示す斜視図である。
【図４】ストレッチングベルトの実施例を示す斜視図である。
【図５】ストレッチングベルトの実施例を示す斜視図である。
【図６】ストレッチングベルトの実施例を示す斜視図である。
【図７】ストレッチングベルトの実施例を示す斜視図である。
【図８】ストレッチングベルトの実施例を示す斜視図である。
【符号の説明】
１、１１、２１、３１　ベルト本体
２、１２　こぶ
３　折り曲げ先端
４　アジャスト具
５　輪
６、６１　ベルトＡ
７，７１　ベルトＢ
９　重ね代
１０　平ファスナー
【図１】
2004089659.tif 000003
【図２】
2004089659.tif 000004
【図３】
2004089659.tif 000005
【図４】
2004089659.tif 000006
【図５】
2004089659.tif 000007
【図６】
2004089659.tif 000008
【図７】
2004089659.tif 000009
【図８】
2004089659.tif 000010